(57)【要約】  ポリエチレングリコール及び香料を有する洗濯物香り添加剤。洗濯物香り添加剤は、消費者の洗濯物に付与される香りの量を、消費者がコントロールすることを可能にする。
2016506456.tif 000002
【特許請求の範囲】
【請求項１】
複数個の香錠剤を含む布地処理組成物であって、前記香錠剤は、
（ａ）前記香錠剤の０．１重量％〜１０重量％のバランス剤であって、グリセリン、ポリプロピレングリコール、ミリスチン酸イソプロピル、ジプロピレングリコール、１，２プロパンジオール、２，０００未満の分子量を有するポリエチレングリコール、及びこれらの混合物から成る群から選択される、バランス剤と、
（ｂ）前記香錠剤の８０重量％〜９１重量％のポリエチレングリコールであって、前記ポリエチレングリコールは、２，０００〜１３，０００の分子量を有する、ポリエチレングリコールと、
（ｃ）前記香錠剤の０．１重量％〜１２重量％の破砕可能な香料マイクロカプセルであって、前記破砕可能な香料マイクロカプセルは、カプセル封入香料を含む、破砕可能な香料マイクロカプセルと、を含む、布地処理組成物。
【請求項２】
前記香錠剤が、前記香錠剤の１重量％〜１２重量％の非カプセル封入香料を含む、請求項１に記載の布地処理組成物。
【請求項３】
前記バランス剤が、ミリスチン酸イソプロピル、ジプロピレングリコール、及びこれらの混合物から成る群から選択される、請求項１又は２に記載の布地処理組成物。
【請求項４】
前記香錠剤が、２，０００〜１３，０００の分子量を有するポリエチレングリコールを、前記香錠剤の８６重量％〜９０重量％含む、請求項１〜３のいずれか一項に記載の布地処理組成物。
【請求項５】
前記香錠剤が、前記香錠剤の０．５重量％〜５重量％の前記バランス剤を含む、請求項１〜４のいずれか一項に記載の布地処理組成物。
【請求項６】
前記複数個の香錠剤が、球形、半球形、圧縮半球形、扁豆形、及び長円形から成る群から選択される形状を有する個々の香錠剤を含む、請求項１〜５のいずれか一項に記載の布地処理組成物。
【請求項７】
個々の香錠剤が、０．９５ｍｇ〜２ｇの質量を有する、請求項１〜６のいずれか一項に記載の布地処理組成物。
【請求項８】
布地処理組成物のアレイであって、前記アレイの各要素が、請求項１〜７のいずれか一項に記載の布地処理組成物であり、前記アレイは、少なくとも第１の布地処理組成物と、第２の布地処理組成物と、を含み、前記第１の布地処理組成物の前記香錠剤と前記第２の布地処理組成物の前記香錠剤との間で、２，０００〜１３，０００の分子量を有するポリエチレングリコールの重量パーセントについて、２％未満の差がある、アレイ。
【請求項９】
前記第１の布地処理組成物の前記香錠剤は、第１の非カプセル封入香料を有し、前記第２の布地処理組成物の前記香錠剤は、第２の非カプセル封入香料を有し、前記第１の非カプセル封入香料は、前記第２の非カプセル封入香料とは異なる、請求項８に記載のアレイ。
【請求項１０】
前記第１の布地処理組成物の前記香錠剤は、前記第１の布地処理組成物の１重量％〜１２重量％の非カプセル封入香料を含み、前記第２の布地処理組成物の前記香錠剤は、前記第２の布地処理組成物の１重量％〜１２重量％の非カプセル封入香料を含む、請求項８又は９に記載のアレイ。
【請求項１１】
前記第１の布地処理組成物の前記香錠剤と前記第２の布地処理組成物の前記香錠剤との間での、２，０００〜１３，０００の分子量を有するポリエチレングリコールの重量パーセントについての前記差が、１％未満である、請求項８〜１０のいずれか一項に記載のアレイ。
【請求項１２】
前記第１の布地処理組成物は、第１のパッケージに収容され、前記第２の布地処理組成物は、第２のパッケージに収容される、請求項８〜１１のいずれか一項に記載のアレイ。
【請求項１３】
前記第１の布地処理組成物及び前記第２の処理組成物が、互いから１ｍ未満離れている、請求項８〜１２のいずれか一項に記載のアレイ。
【請求項１４】
前記第１の布地処理組成物の前記香錠剤は、第１のカプセル封入香料を有し、前記第２の布地処理組成物の前記香錠剤は、第２のカプセル封入香料を有し、前記第１のカプセル封入香料は、前記第２のカプセル封入香料とは異なる、請求項８〜１３のいずれか一項に記載のアレイ。
【請求項１５】
前記第１の布地処理組成物の前記香錠剤及び前記第２の布地処理組成物の前記香錠剤の形状が、任意の寸法において２ｍｍ未満異なっている、請求項８〜１４のいずれか一項に記載のアレイ。
【発明の詳細な説明】
【技術分野】
【０００１】
本発明は、洗濯物を新鮮にするための製品に関する。
【背景技術】
【０００２】
洗濯物への強い香料の香りを好む消費者は多い。このようないわゆる「香りの追求者たち」は、洗濯物に所望の新鮮さを提供するために、洗濯洗剤及び柔軟剤等の洗濯製品を頻繁に過剰投与するであろう。洗濯洗剤及び／又は柔軟剤の過剰添加は、これらの組成物は、頻繁に、洗浄並びに洗浄中で処理される布地に対して、特定の濃度で有益剤の幅広い選択をもたらすように精密に設計されているため、問題となり得る。
【０００３】
洗浄中に添加され得る、布地処理組成物に対する１つのアプローチは、非カプセル封入及び／又はカプセル封入香料で水溶性材料を充填し、微粒子形状で香り添加剤を提供することである。理想的には、水溶性材料は、許容しがたい残基を残すことなく、又は処理されている布地の退色を引き起こすことなく、洗浄中で速やかに溶解することができる。所望される消費者製品の形態によって、これらの溶解特性を有する水溶性材料は、どのような消費者が、布地処理組成物からの効果を得るために喜んで代金を支払うのか、及びかかる水溶性材料の量には限りがあり得ることを踏まえて、比較的高価であり得る。
【０００４】
消費者の視点から、布地処理組成物は、香り慣れの問題に悩まされ得る。つまり、消費者が繰り返して同じ香りにさらされた後、消費者によって感知可能なように要求された香りのレベルは、増加される必要があり得る。香り慣れの問題は、より多い量の布地処理組成物を使用することによって克服することができ、費用がかかることから、消費者目線からすれば望ましくないかもしれない。香り慣れの影響を制限する他のアプローチは、消費者が使用できる多数の香りの変化を彼らに提供することであり、香り慣れの可能性を減らすことができる。更に、消費者の家族の全員が同じ香りを好まないかもしれない。よって、多数の香りの変化は、家族内の異なる人々が、異なる香りを有する衣服を所持することを可能にすることができる。
【発明の概要】
【発明が解決しようとする課題】
【０００５】
以上のことから、消費者の洗濯物に洗い立て感をもたらす布地処理組成物を、消費者に提供する必要がある。かかる布地処理組成物は、望ましくは、他の洗濯物製品とは別で、消費者によって添加されることができ、費用効果の高い望ましい香りレベルを得て、かつ所望されたときに様々な香りを提供する。
【課題を解決するための手段】
【０００６】
発明の実施形態は、多数の香錠剤を含む布地処理組成物であってよく、香錠剤は、（ａ）香錠剤の０．１重量％〜１０重量％のバランス剤であって、グリセリン、ポリプロピレングリコール、ミリスチン酸イソプロピル、ジプロピレングリコール、１，２プロパンジオール、２，０００未満の分子量を有するポリエチレングリコール、及びこれらの混合物から成る群から選択される、バランス剤と、（ｂ）香錠剤の８０重量％〜９１重量％のポリエチレングリコールであって、ポリエチレングリコールは、２，０００〜１３，０００の分子量を有する、ポリエチレングリコールと、（ｃ）香錠剤の０．１重量％〜１２重量％の破砕可能な香料マイクロカプセルであって、破砕可能な香料マイクロカプセルは、カプセル封入香料を含む、破砕可能な香料マイクロカプセルと、を含む。
【０００７】
発明の更なる実施形態は、布地処理組成物のアレイであって、アレイの各要素が、本段落の直前の段落に係る布地処理組成物であり、アレイは、少なくとも第１の布地処理組成物と、第２の布地処理組成物と、を含み、第１の布地処理組成物の香錠剤と第２の布地処理組成物の香錠剤との間で、２，０００〜約１３，０００の分子量を有するポリエチレングリコールの重量パーセントについて、約２％未満の差がある、アレイであってもよい。
【０００８】
発明の更なる実施形態は、アレイの各部材が、複数個の香錠剤を含む布地処理組成物である、布地処理組成物のアレイであってよく、香錠剤は、（ａ）香錠剤の０．１重量％〜１０重量％のバランス剤であって、グリセリン、ポリプロピレングリコール、ミリスチン酸イソプロピル、ジプロピレングリコール、１，２プロパンジオール、２，０００未満の分子量を有するポリエチレングリコール、及びこれらの混合物から成る群から選択される、バランス剤と、（ｂ）香錠剤の８０重量％〜９１重量％のポリエチレングリコールであって、ポリエチレングリコールは、２，０００〜１３，０００の分子量を有する、ポリエチレングリコールと、（ｃ）香錠剤の約１重量％〜約１２重量％の非カプセル封入香料と、（ｄ）香錠剤の約０．１重量％〜約１２重量％の破砕可能な香料マイクロカプセルと、を含み、破砕可能な香料マイクロカプセルは、カプセル封入香料を含み、アレイは、少なくとも第１の布地処理組成物及び第２の布地処理組成物を含み、第１の布地処理組成物の香錠剤と第２の布地処理組成物の香錠剤との間で、２，０００〜約１３，０００の分子量を有するポリエチレングリコールの重量パーセントについて、約２％未満の差があり、第１の布地処理組成物の香錠剤は、第１の非カプセル封入香料を有し、及び第２の布地処理組成物の香錠剤は、第２の非カプセル封入香料を有し、第１の非カプセル封入香料は、第２の非カプセル封入香料とは異なり、第１の布地処理組成物の香錠剤及び第２の布地処理組成物の香錠剤は、任意の寸法において約２ｍｍ未満で形状が異なり、第１の布地処理組成物の香錠剤は、第１の染料を含み、及び第２の布地処理組成物の香錠剤は、第２の染料を含み、第１の染料は、第２の染料とは異なり、かつ第１の布地処理組成物の個々の香錠剤及び第２の布地処理組成物の個々の香錠剤は、０．９５ｍｇ〜２ｇの個々の重量を有する。
【０００９】
発明の実施形態は、複数個の香錠剤を含む布地処理組成物であってよく、香錠剤は、（ａ）香錠剤の０．１重量％〜１０重量％のバランス剤であって、グリセリン、ポリプロピレングリコール、ミリスチン酸イソプロピル、ジプロピレングリコール、１，２プロパンジオール、２，０００未満の分子量を有するポリエチレングリコール、及びこれらの混合物から成る群から選択される、バランス剤と、（ｂ）香錠剤の８０重量％〜９１重量％のポリエチレングリコールであって、ポリエチレングリコールは、２，０００〜１３，０００の分子量を有する、ポリエチレングリコールと、（ｃ）香錠剤の０．１重量％〜約１２重量％の破砕可能な香料マイクロカプセルであって、該破砕可能な香料マイクロカプセルは、カプセル封入香料を含む、破砕可能な香料マイクロカプセルと、を含む。
【図面の簡単な説明】
【００１０】
【図１】香錠剤形成装置の概略図である。
【図２】布地処理組成物のアレイの概略図である。
【図３】布地処理組成物のアレイの概略図である。
【発明を実施するための形態】
【００１１】
本発明の布地処理組成物は、バランス剤、ポリエチレングリコール、非カプセル封入香料及び／又は香料マイクロカプセル、並びに任意追加的に染料を含んでもよい。一実施形態では、布地処理組成物は、洗剤界面活性剤及び／又は布地軟化活性剤を本質的に含まない。
【００１２】
ポリエチレングリコール（ＰＥＧ）
ポリエチレングリコール（ＰＥＧ）は比較的低コストであり、多くの異なる形状及び寸法に形成することが可能であり、非カプセル封入香料拡散を最小にとどめ、水によく溶解する。ＰＥＧは種々の分子量で存在する。洗濯物を新鮮にする目的に適したＰＥＧの分子量の範囲は、２，０００〜約１３，０００、約４，０００〜約１２，０００、あるいは約５，０００〜約１１，０００、あるいは約６，０００〜約１０，０００、あるいは約７，０００〜約９，０００、あるいはそれらの組み合わせが挙げられる。ＰＥＧは、例えば、ＰＬＵＲＩＯＬ  Ｅ  ８０００として、ＢＡＳＦから入手可能である。
【００１３】
本発明の布地処理組成物の香錠剤は、香錠剤の約６５％〜約９９％のＰＥＧを含んでもよい。あるいは、香錠剤は、香錠剤の重量に対して、約８０重量％〜約９１重量％、あるいは約８６重量％〜約９０重量％、あるいは約８５重量％〜約９１重量％、あるいは約７５重量％を超えて、あるいは約７０重量％〜約９８重量％、あるいは約８０重量％〜約９５重量％、あるいはこれらの組み合わせであり、かつ任意の前述の範囲における任意の全ての割合又は全ての割合の範囲の、ＰＥＧを含んでもよい。
【００１４】
バランス剤
本明細書で記載される布地処理組成物の香錠剤は、グリセリン、ポリプロピレングリコール、ミリスチン酸イソプロピル、ジプロピレングリコール、１，２プロパンジオール、２，０００未満の分子量を有するポリエチレングリコール、及びこれらの混合物から成る群から選択される、香錠剤の約０．１重量％〜約１０重量％のバランス剤を含んでもよい。バランス剤は、ジプロピレングリコールであってよい。本明細書で使用するとき、２，０００未満の分子量を有するＰＥＧは、バランス剤である。２，０００〜約１３，０００の分子量を有するＰＥＧは、バランス剤ではない。２，０００〜約１３，０００の分子量を有するＰＥＧは、香錠剤の主要成分である。
【００１５】
本明細書で開示される任意の組成物のためのバランス剤は、ミリスチン酸イソプロピル、ジプロピレングリコール、及びこれらの混合物から成る群から選択されてもよい。ミリスチン酸イソプロピルは、香錠剤の約４重量％の濃度で好適なバランス剤であってもよい。ミリスチン酸イソプロピルは、非カプセル封入香料内で提供されてもよい。
【００１６】
バランス剤は、ポリプロピレングリコールであってよい。バランス剤は、約４００未満、あるいは約１，０００未満、あるいは約２，０００未満、あるいは約４，０００未満の分子量を有することができるポリプロピレングリコールであってよい。
【００１７】
香錠剤の約９１重量％未満の布地処理組成物で２，０００〜約１３，０００の分子量を有するＰＥＧの濃度は、ロートホーミング工程を介して消費者にとって望ましい大きさの香錠剤の均一の形成物を提供するのに望ましくてよいことが発見された。いくつかの非カプセル封入香料及び香料マイクロカプセルは、消費者にとって強すぎる可能性のある、かかる強烈な香りを有する。従って、強烈な非カプセル封入香料及び／又は香料マイクロカプセルにとって、限られた質量分率のみの１つ以上のこれらの組成物は、望ましい香り体験を提供するのに必要である。ＰＥＧの望ましい濃度が、９１重量％未満の香錠剤であり得るという観点から、制限された質量分率のみの１つ以上の非カプセル封入香料及び／又は香料マイクロカプセルが使用された場合、バランス剤が組成物内に提供されない限り、望ましい大きさ及び形状を有する香錠剤を製造することは不可能であるかもしれない。布地処理組成物のアレイが提供される場合、アレイにわたる異なる香りの変化において香錠剤の中で均一性を提供することの不能性は、消費者を当惑させる可能性がある。消費者は、商品の単一のカテゴリ内にある単銘柄の製品は、それぞれ同じような見た目や感触と同様に、同じような機能及び有効性を有すると期待しがちである。
【００１８】
バランス剤は、例えば、香り、色、又は香錠剤の溶解特性を変更することによって、組成物の香錠剤の性能に干渉を与えるべきではない。更に、バランス剤は、処理される布地に対する結合となるため、ＰＭＣの能力に干渉するべきではない。グリセリン、ポリプロピレングリコール、ミリスチン酸イソプロピル、ジプロピレングリコール、１，２プロパンジオール、２，０００未満の分子量を有するポリエチレングリコール、及びこれらの混合物から成る群から選択されるバランス剤は、組成物の香錠剤の生産及び性能に干渉しないと考えられる。バランス剤は、所望する大きさ及び形状を有する香錠剤を形成するための追加のＰＥＧを含むことで相殺しているので、バランス剤は、望ましくは安価、又は少なくともＰＥＧに対する費用競争力があり、香錠剤を形成する過程と互換性があり、香錠剤を形成する過程に用いられやすく、かつ採算の合う量を供給するためにすぐに利用可能である。
【００１９】
更に、バランス剤は、同様の、本質的に同じでない場合、大きさ、形状、及び生産特性を持つ香錠剤を含む布地処理組成物のアレイの製剤を可能にし、かつ比較的狭い範囲のＰＥＧ濃度を有することを可能にすることができる点において実用的であってよい。狭い範囲のＰＥＧ濃度を有することは、バランス剤を含む製剤のバランスで、製造者が、異なる濃度の非カプセル封入香料及び／又はカプセル封入香料を有する香錠剤を生産するための一組の製造条件を用いることを可能にし、任意の染料及び／又は製剤の小数部分の含有物が占める。
【００２０】
例えば、第１の布地処理組成物及び第２の布地処理組成物を考察すると、第１の布地処理組成物の香錠剤は、第１の非カプセル封入香料を有し、及び第２の布地処理組成物の香錠剤は、第２の非カプセル封入香料を有する。第１の非カプセル封入香料の強度が第２の非カプセル封入香料の強度より大きい場合、布地処理組成物のアレイにわたる香錠剤の中に、非カプセル封入香料の同様の香り強度を有するため、低濃度の第１のカプセル封入香料は、バランス剤によって相殺されてもよい。これは、２つの組成物の香錠剤に対するＰＥＧ濃度が、狭い範囲内に収まることを可能にし、これにより、同じ製造条件を、両方、又は更なる組成物の香錠剤を製造するために用いることができる。バランス剤は、ＰＭＣ又はＰＭＣ及び非カプセル封入香料の両方の強度が組成物の香錠剤の間で異なる場合、同様の方法で採用されてもよい。
【００２１】
本明細書に記載される布地処理組成物の香錠剤は、グリセリン、ポリプロピレングリコール、ミリスチン酸イソプロピル、ジプロピレングリコール、１，２プロパンジオール、２，０００未満の分子量を有するポリエチレングリコール、及びこれらの混合物から成る群から選択される、香錠剤の約０．５重量％〜約５重量％のバランス剤を含んでもよい。本明細書で開示される任意の組成物に対するバランス剤は、ジプロピレングリコールであってよい。本明細書で開示される任意の組成物に対するバランス剤は、ミリスチン酸イソプロピルであってよい。
【００２２】
非カプセル封入香料
本発明の布地処理組成物の香錠剤は、非カプセル封入香料及び／又は香料マイクロカプセルを含んでもよい。香料は、米国特許第７，１８６，６８０号の第１０欄５６行〜第２５欄２２行に概して記載されている。一実施形態では、布地処理組成物の香錠剤は、非カプセル封入香料を含み、かつ本質的に香料マイクロカプセル等の香料キャリアを含まない。更に別の実施形態では、布地処理組成物の香錠剤は、香料キャリア材料（及びそこに含有される香料）を含む。香料キャリア材料の例は、米国特許第７，１８６，６８０号の第２５欄２３行〜第３１欄７行に記載されている。香料キャリアの特別な例は、シクロデキストリンとゼオライトとを含んでもよい。
【００２３】
本明細書で開示される組成物において、布地処理組成物の香錠剤は、必ずしも非カプセル封入香料を含まなくてもよい。むしろ、非カプセル封入香料は、任意成分である。実質的に香錠剤を含まない、又は非カプセル封入香料を含まない実施形態は、消費者が、布地処理組成物の香錠剤を投与する際の香り体験を控える場合、望ましくてもよい。本構成における香り体験は、香りマイクロカプセルが布地上に付着した際、又は香りマイクロカプセルが付着とは異なって破裂した後に提供されてもよい。
【００２４】
一実施形態において、布地処理組成物の香錠剤は、非カプセル封入香料を含むが、香料キャリアは含まない、又は本質的に含まない。このような実施形態では、布地処理組成物の香錠剤は、布地処理組成物の香錠剤の重量に対して、約２０重量％未満、あるいは約２５重量％未満、あるいは約９重量％〜約２０重量％、あるいは約１０重量％〜約１８重量％、あるいは約１１重量％〜約１３重量％、あるいはこれらの組み合わせ、または、任意の前述の範囲内における任意の全ての割合又は全ての割合の範囲の、非カプセル封入香料を含んでもよい。
【００２５】
一実施形態において、布地処理組成物の香錠剤は、本質的に、（ａ）前記香錠剤の０．１重量％〜１０重量％のバランス剤であって、グリセリン、ポリプロピレングリコール、ミリスチン酸イソプロピル、ジプロピレングリコール、１，２プロパンジオール、２，０００未満の分子量を有するポリエチレングリコール、及びこれらの混合物から成る群から選択される、バランス剤と、（ｂ）前記香錠剤の８０重量％〜９１重量％のポリエチレングリコールであって、前記ポリエチレングリコールは、２，０００〜１３，０００の分子量を有する、前記ポリエチレングリコールと、（ｃ）前記香錠剤の約１重量％〜約２０重量％の非カプセル封入香料と、から構成されてもよく、香錠剤は、本質的に香料キャリアを含まず、かつ個々の香錠剤は、０．９５ｍｇ〜約２ｇの質量を有する。
【００２６】
別の実施形態において、布地処理組成物の香錠剤は、本質的に、（ａ）前記香錠剤の０．１重量％〜１０重量％のバランス剤であって、グリセリン、ポリプロピレングリコール、ミリスチン酸イソプロピル、ジプロピレングリコール、１，２プロパンジオール、２，０００未満の分子量を有するポリエチレングリコール、及びこれらの混合物から成る群から選択される、バランス剤と、（ｂ）２，０００〜約１３，０００の分子量を有するポリエチレングリコールである、香錠剤の約７５重量％超のポリエチレングリコールと、（ｃ）香錠剤の約２５重量％未満の非カプセル封入香料と、から構成されてもよく、香錠剤は、本質的に香料キャリアを含まず、かつ個々の香錠剤は、０．９５ｍｇ〜約２ｇの質量を有する。
【００２７】
他の実施形態において、香錠剤は、非カプセル封入香料及び香料マイクロカプセルを含んでもよい。本実施形態において、香錠剤は、香錠剤の重量に対して、約１重量％〜約１９重量％、あるいは約１重量％〜約１２重量％、あるいは約２重量％〜約１０重量％、あるいは約３重量％〜約８重量％、あるいは約４重量％〜約７重量％、あるいは約５重量％〜約７重量％、あるいはこれらの組み合わせ、または任意の前述の範囲内における任意の全ての割合又は全ての割合の範囲の、非カプセル封入香料を含んでもよい。このような濃度の非カプセル封入香料は、非カプセル封入香料を有する本明細書で開示される任意の実施形態に適してよい。
【００２８】
更に別の実施形態では、香錠剤は、非カプセル封入香料及び香料マイクロカプセルを含んでもよいが、本質的に香料キャリアは含まない。更に別の実施形態では、香錠剤は、非カプセル封入香料及び香料マイクロカプセルを含んでもよく、かつ他の香料キャリアは含まなくてもよい。
【００２９】
香料マイクロカプセル
本発明の布地処理組成物の香錠剤は、香料マイクロカプセル（ＰＭＣ）に封入された香油を含んでもよい。ＰＭＣは、破砕可能なＰＭＣであり得る。用語「ＰＭＣ」と「香料マイクロカプセル」とは、互換的に用いられていて、複数個の香料マイクロカプセルを称する。
【００３０】
本発明の目的のためには、「香料マイクロカプセル」又は「ＰＭＣ」という用語は、香料マイクロカプセルと香料ナノカプセルとの両方を表す。ＰＭＣは、破砕可能である（例えば、水分活性化ＰＭＣと比較して）。ＰＭＣは、水分活性化であり得る。
【００３１】
１つの実施形態では、ＰＭＣはメラミン／ホルムアルデヒドシェルを含む。カプセル封入香料及び／又はＰＭＣは、Ａｐｐｌｅｔｏｎ、Ｑｕｅｓｔ  Ｉｎｔｅｒｎａｔｉｏｎａｌ、又はＩｎｔｅｒｎａｔｉｏｎａｌ  Ｆｌａｖｏｒ  ＆  Ｆｒａｇｒａｎｃｅｓ、又は他の適当な供給元から入手可能である。一実施形態では、ＰＭＣのシェルは、ＰＭＣの衣類への付着性を高めるためにポリマーでコーティングされる。ＰＭＣは、米国特許第２００８／０３０５９８２に記載されたものであってよい。
【００３２】
一実施形態では、香錠剤は、ＰＭＣを含んでもよいが、本質的に非カプセル封入香料は含まなくてもよい。このような実施形態において、香錠剤は、香錠剤の重量に対して、約２０重量％未満、あるいは約２５重量％未満、あるいは約０．１重量％〜約１２重量％、あるいは約０．５重量％〜約１２重量％、あるいは約０．５重量％〜約２０重量％、あるいは約０重量％〜約１２重量％、あるいは約１重量％〜約１５重量％、あるいは約１重量％〜約１２重量％、あるいは約２重量％〜約１０重量％、あるいはこれらの組み合わせ、または、任意の前述した範囲内における任意の全ての割合又は全ての割合の範囲の、ＰＭＣ（カプセル封入香料を含む）を含んでもよい。このような実施形態において、ＰＭＣによるカプセル封入香料は、香錠剤の重量に対して、約０．１重量％〜約４重量％の香料を含んでもよい。
【００３３】
染料
香錠剤は、染料を含んでもよい。染料としては、洗濯用洗剤又は衣類柔軟剤に一般的に使用される染料が挙げられる。布地処理組成物は、布地処理組成物の重量に対して、約０．００１重量％〜約０．１重量％、あるいは約０．０１重量％〜約０．０２重量％、あるいはこれらの組み合わせ、または、任意の前述の範囲内における任意の全ての割合又は全ての割合の範囲の、染料を含んでもよい。好適な染料の例として、Ｍｉｌｌｉｋｅｎ  Ｃｈｉｍｉｃａｌから入手可能なＬＩＱＵＩＴＩＮＴ  ＰＩＮＫ  ＡＭ、ＡＱＵＡ  ＡＳ  ＣＹＡＮ  １５、及びＶＩＯＬＥＴ  ＦＬが挙げられるが、これに限定されるものではない。
【００３４】
洗濯活性剤及び柔軟剤を含まないもの
布地処理組成物は、洗濯活性剤及び／又は柔軟剤活性剤を含まなくてよい。布地処理組成物の香錠剤は、洗濯活性剤及び／又は柔軟剤活性剤を含まなくてよい。費用を低減し、かつ製剤相溶性の問題を防ぐために、発明の一態様は、本質的に洗濯活性剤及び／又は柔軟剤活性剤を含まない香錠剤を含んでもよい。一実施形態において、香錠剤は、香錠剤の３重量％未満、あるいは香錠剤の２重量％未満、あるいは香錠剤の１重量％未満、あるいは香錠剤の０．１重量％未満、あるいはほぼ含まない、洗濯活性剤及び／又は柔軟剤活性剤（又はこれらの組み合わせ）を含む。洗濯活性剤としては、洗剤界面活性剤、洗剤ビルダー、漂白剤、酵素、これらの混合物などが挙げられる。非洗浄性の濃度の表面活性剤が、香錠剤に含有される可溶化香料を手助けするために用いられてもよいことが望ましい。
【００３５】
布地処理組成物
一実施形態において、香錠剤は、本質的に（ａ）香錠剤の０．１重量％〜１０重量％のバランス剤であって、グリセリン、ポリプロピレングリコール、ミリスチン酸イソプロピル、ジプロピレングリコール、１，２プロパンジオール、２，０００未満の分子量を有するポリエチレングリコール、及びこれらの混合物から成る群から選択される、バランス剤と、（ｂ）２，０００〜約１３，０００の分子量を有するポリエチレングリコールである、香錠剤の約８０重量％〜約９１重量％のポリエチレングリコールと、（ｃ）香錠剤の約０重量％、又は更には約０．１重量％、又は更には約１重量％〜約２０重量％の破砕可能な香料マイクロカプセルと、から構成されてもよく、香料マイクロカプセルは、カプセル封入香料を含み、香錠剤は、本質的に非カプセル封入香料を含まず、かつ個々の香錠剤は、０．９５ｍｇ〜約２ｇの質量を有する。このような実施形態において、ＰＭＣによるカプセル封入香料は、香錠剤の重量に対して、約０．１重量％〜約４重量％の香料を含んでもよい。
【００３６】
他の実施形態において、香錠剤は、ＰＭＣ及び非カプセル封入香料を含む。このような実施形態において、香錠剤は、香錠剤の重量に対して、０重量％〜約１０重量％、あるいは約０．１重量％〜約１０重量％、あるいは約１重量％〜約１０重量％、あるいは０重量％〜約１２重量％、あるいは約０．１重量％〜約１２重量％、あるいは約１重量％〜約１２重量％、あるいは約２重量％〜約８重量％、あるいは約３重量％〜約８重量％、あるいは約４重量％〜約７重量％、あるいは約５重量％〜約７重量％、あるいはこれらの組み合わせ、または、任意の前述の範囲内における任意の全ての割合又は全ての割合の範囲の、ＰＭＣ（カプセル封入香料を含む）を含んでもよい。この実施形態では、ＰＭＣによるカプセル化された香料は、香錠剤の重量に対して、約０．１重量％〜約４重量％の香料を含んでもよい。
【００３７】
一実施形態において、香錠剤は、本質的に、（ａ）香錠剤の０．１重量％〜１０重量％のバランス剤であって、グリセリン、ポリプロピレングリコール、ミリスチン酸イソプロピル、ジプロピレングリコール、１，２プロパンジオール、２，０００未満の分子量を有するポリエチレングリコール、及びこれらの混合物から成る群から選択される、バランス剤と、（ｂ）２，０００〜約１３，０００の分子量を有するポリエチレングリコールである、香錠剤の約８０重量％〜約９１重量％のポリエチレングリコールと、（ｃ）香錠剤の約１重量％〜約１２重量％の非カプセル封入香料と、（ｄ）香錠剤の０重量％〜約１２重量％、又はあるいは約０．１重量％〜約１２重量％、又はあるいは約１重量％〜約１２重量％の破砕可能な香料マイクロカプセルと、から構成されてもよく、香料マイクロカプセルは、カプセル封入香料を含み、個々の香錠剤は、０．９５ｍｇ〜約２ｇの質量を有する。この実施形態では、ＰＭＣによるカプセル化された香料は、香錠剤の重量に対して、約０．１重量％〜約４重量％の香料を含んでもよい。
【００３８】
一実施形態において、香錠剤は、（ａ）香錠剤の０．１重量％〜１０重量％のバランス剤であって、グリセリン、ポリプロピレングリコール、ミリスチン酸イソプロピル、ジプロピレングリコール、１，２プロパンジオール、２，０００未満の分子量を有するポリエチレングリコール、及びこれらの混合物から成る群から選択される、バランス剤と、（ｂ）２，０００〜約１３，０００の分子量を有するポリエチレングリコールである、香錠剤の約８０重量％〜約９１重量％のポリエチレングリコールと、（ｃ）香錠剤の約１重量％〜約１２重量％の非カプセル封入香料と、（ｄ）香錠剤の０重量％〜約１２重量％、又はあるいは約０．１重量％〜約１２重量％、あるいは約０．５重量％〜約１２重量％、又はあるいは約１重量％〜約１２重量％の破砕可能な香料マイクロカプセルと、を含み、香料マイクロカプセルは、カプセル封入香料を含み、かつ個々の香錠剤は、約０．９５ｍｇ〜約２ｇの質量を有する。
【００３９】
このような製剤は、布地処理組成物の使用者にバランスの取れた香り体験を提供すると考えられる。ポリエチレングリコールの濃度が香錠剤の約８０重量％〜約９１重量％である状態で、香錠剤の約１重量％〜約１２重量％の非カプセル封入香料は、香錠剤を含むパッケージの開封時、並びにユーザーが、投与装置に香錠剤を注ぎ、及び香錠剤を洗濯機へ移す際に、ユーザーに対して心地よい香り体験を提供することができる。これが、使用者が香りを有意に検出可能なレベルで体験し得るが、香りによって圧倒されることがないレベルである。同様に、香錠剤の重量に対して、約０．１重量％〜約１２重量％、又はあるいは約０．５重量％〜約１２重量％、又はあるいは約１重量％〜約１２重量％の破砕可能な香料マイクロカプセルにより、香錠剤の物理的及び／又は化学的安定性、及び香錠剤が洗浄内に添加された際に、洗浄中のユーザーの衣服上に付着するのに十分な量の破砕可能な香料マイクロカプセルを提供することができる。更に、追加の組成物は、香錠剤の物理的及び／又は化学的安定性に干渉する可能性があるため、本質的に前述した濃度で上記の成分で構成されることは、香錠剤にとって、並びに表面活性剤、柔軟剤、又は他のかかる成分等の他の組成物は、洗剤又は乾燥機が追加された製品等の他の仕組みによって送達されてもよいことを認識することにおいて有利であってよく、かつユーザーが、洗浄中及び／又は乾燥中にこのような成分を過剰添加するかもしれないという可能性がある。
【００４０】
更に別の実施形態では、香錠剤は香料マイクロカプセルを含んでもよいが、ほかの香料キャリア及び／又は非カプセル封入香料を含まないか若しくは本質的に含まなくてもよい。更になお別の実施形態では、香錠剤は、ホルムアルデヒド捕捉剤を含んでもよい。更になお別の実施形態では、本発明の香錠剤の香りは、布地ケア製品（例えば、洗濯洗剤、柔軟仕上げ剤）の香りと合わせられる。このように、ＡＰＲＩＬ  ＦＲＥＳＨの香りを好む消費者が、ＡＰＲＩＬ  ＦＲＥＳＨの香りを有する香錠剤を用いることが可能であり、これによって、彼らの洗濯物を洗浄する香り体験をＡＰＲＩＬ  ＦＲＥＳＨを用いて得られる彼らの香り体験と合わせることができる。本発明の香錠剤は、統合された香りを有する製品アレイ（洗濯洗剤及び／又は柔軟仕上げ剤と共に）として販売されてもよい。
【００４１】
香錠剤
香錠剤は、米国特許第５，０１３，４９８号及び同第５，７７０，２３５号に開示された方法を含む当該技術分野で既知の方法によって形成され得る。本発明の香錠剤の融解は、バッチ又は連続モードのいずれかで調製されてもよい。バッチモードでは、温度制御を有する混合容器内に溶融ＰＥＧが充填される。次に、ＰＭＣが添加され、均質になるまでＰＥＧと混合される。次に、非カプセル封入香料が容器に添加されて、混合物全体が均質になるまで、成分が一定時間更に混合される。連続モードでは、静的混合機又は高剪断混合機のような直列式混合機内で、溶融ＰＥＧが非カプセル封入香料及びＰＭＣと混合されて、次に生成した均質の混合物が香錠剤形成のために用いられる。ＰＭＣ及び非カプセル封入香料は、いかなる順番でも又は同時にＰＥＧに添加され得、染料は香錠剤形成の前の工程で添加され得る。
【００４２】
芳香錠は、錠剤、丸剤、球などの異なる形状に成形することができる。芳香錠は、球形、半球形、圧縮半球形、扁豆形、長円形からなる群から選択される形状を有しうる。扁豆形とはレンズマメの形状のことを指す。圧縮半球形とは、その曲面の曲率が、同じ半径を有する半球の曲率よりも平均において小さくなるように少なくとも部分的に圧し潰された半球に相当する形状のことを指す。圧縮半球形芳香錠は、直径に対する高さの比が約０．０１〜約０．４、又は約０．１〜約０．４、又は約０．２〜約０．３でありうる。長円形とは、最大寸法及び最大寸法に直交する最大二次寸法を有し、最大二次寸法に対する最大寸法の比が約１．２よりも大きい形状のことを指す。長円形は、最大二次寸法に対する最大寸法の比が約１．５より大きくてもよい。長円形は、最大二次寸法に対する最大寸法の比が約２より大きくてもよい。長円形の粒子は、最大寸法が約２ｍｍ〜約６ｍｍ、最大二次寸法が約２ｍｍ〜約４ｍｍであってよい。
【００４３】
本明細書で開示される任意の製剤の他の実施形態において、個々の香錠剤は、約０．９５ｍｇ〜約２ｇ、あるいは約１０ｍｇ〜約１ｇ、あるいは約１０ｍｇ〜約５００ｍｇ、あるいは約１０ｍｇ〜約２５０ｍｇ、あるいは約０．９５ｍｇ〜約１２５ｍｇ、あるいはこれらの組み合わせであり、かつ任意の前述した範囲内における任意の全ての数字又は全ての数字のｍｇの範囲である、質量を有してもよい。多数の芳香錠において、個々の芳香錠は、球形、半球形、圧縮半球形、扁豆形、長円形からなる群から選択される形状を有しうる。
【００４４】
個々の芳香錠は、約０．００３ｃｍ３〜約０．１５ｃｍ３の体積を有しうる。複数個の香錠剤は、洗濯機又は洗浄用容器内の洗濯物に投与するための投与量を合わせて含んでもよい。香錠剤の単回投与は、約１ｇ〜約２７ｇを含んでもよい。
【００４５】
香錠剤の単回投与は、約５ｇ〜約２７ｇ、あるいは約１３ｇ〜２７ｇ、あるいは約１４ｇ〜約２０ｇ、あるいは約１５ｇ〜約１９ｇ、あるいは約１８ｇ〜約１９ｇ、あるいはこれらの組み合わせを含んでもよく、かつ任意の前述した範囲内における任意の全ての数字のグラム又は全ての数字のグラムの範囲である。投与を調合することが可能な複数個の香錠剤を形成する個々の香錠剤は、約０．９５ｍｇ〜約２ｇの質量を有する。複数個の香錠剤は、異なる寸法、形状、及び／又は質量の香錠剤から作り上げられ得る。単位投与量中の芳香錠の最大寸法は約１ｃｍ未満とすることができる。
【００４６】
香錠剤は、香錠剤形成工程によって製造されてよい。香錠剤形成装置１００の概略が図１に示されている。このような工程による製造の段階は、粘性材料５０として所望の製剤を提供することを含んでもよい。粘性材料５０は、本明細書に開示された製剤の任意の実施形態を含むか、又はそれらから構成され得る。一実施形態において、粘性材料５０は、（ａ）香錠剤の０．１重量％〜１０重量％のバランス剤であって、グリセリン、ポリプロピレングリコール、ミリスチン酸イソプロピル、ジプロピレングリコール、１，２プロパンジオール、２，０００未満の分子量を有するポリエチレングリコール、及びこれらの混合物から成る群から選択される、バランス剤と、（ｂ）２，０００〜約１３，０００の分子量を有するポリエチレングリコールである、粘性材料の約８０重量％〜約９１重量％のポリエチレングリコールと、（ｃ）粘性材料の約０重量％〜約１２重量％の非カプセル封入香料、あるいは粘性材料の約１重量％〜約１２重量％の非カプセル封入香料と、（ｄ）粘性材料の０重量％〜約１２重量％の破砕可能な香料マイクロカプセル、あるいは粘性材の料約０．１重量％〜約１２重量％の破砕可能な香料マイクロカプセル、あるいは粘性材料の約０．５重量％〜約１２重量％の破砕可能な香料マイクロカプセル、あるいは粘性材料の約０．５重量％〜約１２重量％の破砕可能な香料マイクロカプセルと、を含み、香料マイクロカプセルは、カプセル封入香料を含む。粘性材料５０は、示差走査熱量計によって決定されたような凝固温度の開始温度より摂氏約２０度高い温度未満の処理温度にて供給され得る。
【００４７】
１つの実施形態では、ＰＭＣはスラリーとしてポリエチレングリコール及び非カプセル封入香料に添加されて、粘性材料５０を形成することができる。ＰＭＣは、粉末としてポリエチレングリコール及び非カプセル封入香料に添加されて、粘性材料５０を形成することができる。粘性材料５０は、小開口１０に通過させることができ、移動するコンベヤ表面２０上に配置させて、そのコンベヤ表面上で粘性材料５０をガラス転移温度以下に冷却して、複数個の香錠剤３０を形成する。図１に示されるように、小開口１０は、回転可能な香錠剤形成ロール５上にあり得る。粘性材料５０は、粘性材料ディストリビュータ４０によって、小開口１０に分配され得る。芳香錠は、Ｓａｎｄｖｉｋ  Ｍａｔｅｒｉａｌｓ  Ｔｅｃｈｎｏｌｏｇｙより入手可能なＲＯＴＯＦＯＲＭＥＲにより成形することができる。
【００４８】
布地処理組成物のアレイ
本明細書で示す布地処理組成物は、図２に示される通り、布地処理組成物１１０のアレイ１０２中に提供されてもよい。アレイ１０２は、少なくとも第１の布地処理組成物１１２及び第２の布地処理組成物１１４を含んでもよい。第１の布地処理組成物１１２及び第２の布地処理組成物１１４は、香錠剤３０を含んでもよい。第１の布地処理組成物１１２の香錠剤３０と第２の布地処理組成物１１４の香錠剤３０との間で、２，０００〜約１３，０００の分子量を有するポリエチレングリコールの重量パーセントについて、香錠剤の重量に対して、約２％未満の差があってもよい。あるいは、香錠剤の重さによって、第１の布地処理組成物１１２の香錠剤３０と、第２の布地処理組成物１１４の香錠剤３０との間の、２，０００〜約１３，０００の分子量を有するポリエチレングリコールの重量％における差は、約１％未満、又は更には約０．５重量％未満、又は更には約０．２重量％未満であってよい。
【００４９】
アレイ１０２は、小売環境にいる消費者に対して製品を示すのに適した棚、製品表示、又は他の配置で消費者に対して示されてもよい。アレイは、非限定的な例として、それぞれが異なる香りを持つ、複数の布地処理組成物１１０であってよい。例えば、第１の布地処理組成物１１２は、第１のパッケージ１２２内に収容されてもよく、かつ第２の布地処理組成物１１４は、第２のパッケージ１２４内に収容されてもよい。第１の布地処理組成物１１２及び第２の布地処理組成物１１４は、互いから約１ｍ未満、あるいは互いから約０．６ｍ未満、あるいは互いから０．５ｍ未満、又はあるいは互いから０．１５ｍ未満で離れていてもよい。
【００５０】
布地処理組成物１１２の香錠剤３０は、第１の非カプセル封入香料を有してもよく、及び第２の布地処理組成物１１４の香錠剤３０は、第２の非カプセル封入香料を有してもよく、第１の非カプセル封入香料は、第２の非カプセル封入香料とは異なる。例えば、第１の布地処理組成物１１２の香錠剤３０は、キウイの香りの非カプセル封入香料を有してもよく、及び第２の布地処理組成物１１４の香錠剤３０は、ラベンダーの香りの非カプセル封入香料を有してもよい。これらの布地処理組成物の各香錠剤３０に対して、第１の布地処理組成物１１２の香錠剤３０と、第２の布地処理組成物１１４の香錠剤３０との間の、２，０００〜約１３，０００の分子量を有するポリエチレングリコールの重量％における差は、約２重量％未満あってよい。このように製剤されることで、製造者は、同じ製造条件を用いて、第１の布地処理組成物の香錠剤３０及び第２の布地処理組成物１１４の香錠剤３０を製造することができる。これは、操作者が、異なる非カプセル封入香料を持つ香錠剤３０を作成するための製造条件を調整するのに時間を費やす必要がなく、かつ製造条件の設定における誤りの可能性を低減することができるため、組成物の香錠剤３０の製造者の生産能力及び信頼性を増すことができる。
【００５１】
狭い範囲の濃度のポリエチレングリコールを使用する更なる利点は、第１の布地処理組成物１１２の香錠剤３０が、第２の布地処理組成物１１４の香錠剤３０と同じ形状を有することができることである。同じ形状は、第１の布地処理組成物１１２の香錠剤３０及び第２の布地処理組成物１１４の香錠剤３０と同じ製造条件を用いて達成することができる。製造、流通、及び使用の間の製品処理を簡易化するために、同じ形状の香錠剤３０を有する複数の異なる香りの布地処理組成物を提供することは、製造者にとって望ましくてもよい。更に、異なる香りの変化にわたる香錠剤３０の形状の一貫性は、形状が、洗浄内の組成物の溶解に影響し得るために望ましくてもよく、かつ布地処理組成物のアレイにわたる香錠剤３０の同じ溶解プロフィールを有するために望ましくてもよい。布地処理組成物１１２の香錠剤３０及び布地処理組成物１１４の香錠剤３０は、任意の寸法において２ｍｍ未満で形状が異なってよい。理論に束縛されることなく、形状においてこのような小さな差を有することは、標準的な使用条件下での洗浄内の溶解プロフィールにおける顕著な差につながり得ると考えられる。更に、形状におけるこのような小さな差は、消費者によって直ちに認識されない可能性がある。第１の布地処理組成物１１２の香錠剤３０及び第２の布地処理組成物１１４の香錠剤３０は、任意の寸法において１ｍｍ未満で形状が異なってよい。
【００５２】
同じ方法及び同様の利点を達成することにおいて、第１の布地処理組成物１１２の香錠剤３０は、第１のカプセル封入香料を有してもよく、及び第２の布地処理組成物１１４の香錠剤３０は、第２のカプセル封入香料を有してもよく、第１のカプセル封入香料は、第２のカプセル封入香料とは異なる。このアプローチは、製造者が、異なるカプセル封入香料を有する２つ以上の布地処理組成物のための香錠剤３０を簡単に提供することを可能にすることができる。これは、消費者が、第１の布地処理組成物１１２又は第２の布地処理組成物１１４を使用したかによって衣類を着用するため、消費者に異なる香り体験を提供するために望ましくてもよい。
【００５３】
更に、第１の染料を有する第１の布地処理組成物１１２の香錠剤３０及び第２の染料を有する第２の布地処理し生物１１４の香錠剤３０を提供することは、望ましくてもよく、第１の染料は、第２の染料とは異なる。これは、異なる色の変化において布地処理組成物用の香錠剤３０を提供するために望ましくてもよい。一実施形態において、異なる色を示す異なる香りを有することは実用的であってよく、異なる香りは、互いが異なる未封入の功労及びカプセル封入香料の１つ又は両方によって提供される。
【００５４】
アレイ１０２を考慮する際、第１の布地処理組成物１１２の香錠剤３０は、第１の香錠剤１１３であってもよく、及び第２の布地処理組成物１１４の香錠剤は、第２の香錠剤１１５であってもよい。従って、本明細書で開示される実施形態のために、アレイ１０２は、少なくとも第１の香錠剤１１３を含む第１の布地処理組成物１１２及び第２の香錠剤１１５を含む第２の布地処理組成物を含んでもよい。第１の香錠剤１１３は、本明細書で開示される香錠剤３０の任意の実施形態であってもよい。同様に、第２の香錠剤１１５は、本明細書で開示される香錠剤３０の任意の実施形態であってもよい。
【００５５】
アレイ１０２は、図３に示すように、少なくとも第１のパッケージ１２２に含まれた第１の布地処理組成物１１２、第２のパッケージ１２４に含まれた第２の布地処理組成物１１４、及び第３のパッケージ１２６に含まれた第３の布地処理組成物１１６を含んでもよい。第３の布地処理組成物１１６の香錠剤３０は、本明細書で開示される香錠剤３０の任意の実施形態であるような第３の香錠剤１１７を伴う、第３の香錠剤１１７であってもよい。図２及び３に示すように、パッケージは、互いに近接するように配置されてもよい。図３に示すように、パッケージは、互いに隣り合うように配置されてもよい。可能であれば、例えば、パッケージは、封入された及び／又は非カプセル封入香料の香りによってグループ化される。アレイ１０２は、消費者に対して棚の上又は棚の群の上に提示されてもよい。
【００５６】
パッケージ
単回投与又は複数回投与が、パッケージ内に封入され得る。パッケージは、ボトル、バッグ、又は他の容器でもよい。一実施形態において、パッケージは、ボトル、例えば見ている消費者に香錠剤３０を見せるための半透明の部分を含むＰＥＴボトルである。一実施形態において、パッケージは、単回投与（例えば、お試しサイズの袋）、又は多数の投与（例えば、約１５投与量〜約１００投与量）を含む。
【００５７】
投与
上述のパッケージは、布地処理組成物をパッケージから洗濯機（又は手洗い用途では洗面器）に分配するための投与手段を備えてもよい。使用者は、推奨された単位用量を計測するために投与手段を用いてもよく、使用者自身の香り嗜好によって布地処理組成物を計測するために投与手段を単に用いてもよい。投与手段の例は、分配キャップ、ドームなどでもよく、これはパッケージに機能的に取り付けられている。投与手段は、例えば、パッケージ上に据え付けられたカップのように、パッケージから取り外し可能に脱着できて、パッケージに再度取付けすることができる。投与手段はパッケージの台につながれていて（例えば、ヒンジ又はストリングによって）もよい（あるいは、つながれていなくてもよい）。投与手段は、推奨した単位投与用量を示すための１つ又はそれ以上の境界線（例えば、充填線）を有してもよい。パッケージは、使用者にパッケージの取り外し可能な開口を開くように、並びにパッケージ内に封入された布地処理組成物を投与手段へと分配する（例えば、注ぐ）よう指示する取扱説明を含んでもよい。これによって、使用者は投与手段内に封入された香錠剤３０を洗濯機又は洗面器に投与するよう指示され得る。本明細書に開示される香錠剤３０は、洗濯物に洗いたて感を追加するために使用されてもよい。投与手段を備えるパッケージは、プラスチック製でもよい。
【００５８】
一実施形態は、複数個の香錠剤３０を含む布地処理組成物の投与量であってよく、香錠剤３０は、（ａ）香錠剤の０．１重量％〜１０重量％のバランス剤であって、グリセリン、ポリプロピレングリコール、ミリスチン酸イソプロピル、ジプロピレングリコール、１，２プロパンジオール、２，０００未満の分子量を有するポリエチレングリコール、及びこれらの混合物から成る群から選択される、バランス剤と、（ｂ）香錠剤３０の８０重量％〜９１重量％のポリエチレングリコールであって、ポリエチレングリコールは、２，０００〜約１３，０００の分子量を有する、ポリエチレングリコールと、（ｃ）香錠剤３０の約０重量％〜約１２重量％の非カプセル封入香料、あるいは香錠剤３０の約０．１重量％〜約１２重量％の非カプセル封入香料、あるいは香錠剤３０の約１重量％〜約１２重量％の非カプセル封入香料と、（ｄ）香錠剤３０の約１重量％〜約１２重量％の破砕可能な香料マイクロカプセルと、を含み、香料マイクロカプセルは、カプセル封入香料を含み、前記香錠剤３０は、それぞれ約０．９５ｍｇ〜２ｇの個々の質量を有し、かつ複数個の香錠剤は、投与量を含むために約１ｇ〜約２７ｇの質量を有する。投与量は、約１９ｇであってよい。
【００５９】
１つの実施形態では、本発明の香錠剤３０は、洗濯機の「洗浄サイクル」中に使用されるものとして、洗濯機に投与され得る（しかし、「濯ぎサイクル」で使用されてもよい）。別の実施形態では、本発明の香錠剤３０は、洗濯物の洗浄及び／又は濯ぎ中に、洗面器に投与される。洗濯物の手濯ぎ用途では、香錠剤は、Ｗａｃｋｅｒから入手可能であるような「消泡剤」を更に含んでもよい。
【００６０】
実施例となる布地処理組成物は、以下の表に記載する。破砕可能な香料マイクロカプセルは、メラミンホルムアルデヒドシェルを有してもよく、かつＡｐｐｌｅｔｏｎによって製造される型であってよい。染料は、Ｍｉｌｌｉｋｅｎによって製造されたＬＩＱＵＩＴＩＮＴ染料であってよい。
【実施例】
【００６１】
【表１】
2016506456.tif 000003
【００６２】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示された寸法は、「約４０ｍｍ」を意味することを意図する。
【００６３】
任意の相互参照又は関連特許若しくは関連出願を包含する本明細書に引用される全ての文献は、明確に除外ないしは別の方法で限定されない限り、その全てを本明細書中に参照により組み込まれる。いずれの文献の引用も、こうした文献が本願で開示又は特許請求される全ての発明に対する先行技術であることを容認するものではなく、また、こうした文献が、単独で、あるいは他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【００６４】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【図１】
2016506456.tif 000004
【図２】
2016506456.tif 000005
【図３】
2016506456.tif 000006
【国際調査報告】
2016506456.tif 000007
2016506456.tif 000008